【手続補正書】
【提出日】平成17年6月3日(2005.6.3)
【手続補正１】
【補正対象書類名】明細書
【補正対象項目名】特許請求の範囲
【補正方法】変更
【補正の内容】
【特許請求の範囲】
【請求項１】
アドレス空間におけるＲＡＭに割り当てられたアドレスの範囲内を指定して通信先から受信された新規データを書き込むための通信プログラムとその通信プログラムを通信割込に応じて起動するために参照される通信割込ベクタとの少なくとも一方を含む通信コア情報を記憶する書換可能ＲＯＭと、
前記書換可能ＲＯＭの少なくとも前記通信コア情報を書き換えるための書換モードを設定する書換モード設定手段と、
前記書換可能ＲＯＭ内の前記通信コア情報の記憶エリアであるコア記憶エリアに対応するコピー記憶エリアを前記ＲＡＭ内に設定して、前記通信コア情報のコピーであるコピーコア情報を前記コピー記憶エリアに記憶させる通信コア情報コピー手段と、
前記アドレス空間における前記コア記憶エリアに対するメモリアクセスと前記コピー記憶エリアに対するメモリアクセスとを、前記書換モードの設定の有無に従って相互に切り換えるメモリアクセス切換手段と、
前記書換モードが設定されているときに、前記通信プログラムの指定アドレスとして、前記書換モードが設定されていないときの前記コピー記憶エリアのアドレスを指定する書換時エリア指定手段と、
を備えたことを特徴とするメモリ書換装置。
【請求項２】
前記通信コア情報には、前記通信割込ベクタと前記通信プログラムとの双方が含まれ、
前記通信割込ベクタは相対アドレスに基づいており、
前記通信コア情報コピー手段は、前記通信割込ベクタと前記通信プログラムとの相対関係を保つように前記通信コア情報を前記ＲＡＭにコピーして、前記コピーコア情報として記憶させることを特徴とする、請求項１に記載のメモリ書換装置。
【請求項３】
前記ＲＡＭ内の先頭と前記コピー記憶エリアの相対関係が、前記書換可能ＲＯＭ内の先頭とコア記憶エリアとの相対関係に一致し、
前記メモリアクセス切換手段は、前記書換可能ＲＯＭと前記ＲＡＭとのメモリ切換手段を有することを特徴とする、請求項１または２に記載のメモリ書換装置。
【請求項４】
前記書換可能ＲＯＭと前記ＲＡＭは、それぞれ１チップで構成され、
前記メモリ切換手段は、チップセレクトによって各チップを切り換える手段であることを特徴とする、請求項３に記載のメモリ書換装置。
【請求項５】
請求項１ないし４のいずれか１項に記載のメモリ書換装置の各手段と、
前記書換可能ＲＯＭに記憶されたプログラムに従って処理を行うプログラム処理手段と、
を備えたことを特徴とする情報処理装置。
【請求項６】
所定の印刷対象物に印刷を行う印刷手段をさらに備え、
前記複数の割込プログラムには、前記印刷手段に前記印刷を行わせるプログラムが含まれることを特徴とする、請求項５に記載の情報処理装置。
【請求項７】
前記印刷対象物は、テープであることを特徴とする、請求項６に記載の情報処理装置。
【請求項８】
請求項５ないし７のいずれか１項に記載の情報処理装置と、
前記通信先として前記新規データを送信する供給装置と、
を備えたことを特徴とする情報処理システム。
【請求項９】
前記供給装置は、
前記新規データおよびそれを送信するためのプログラムを記憶した記憶媒体を装着可能な装着手段と、
装着された前記記憶媒体内に記憶された前記プログラムに従って前記新規データを送信するプログラム実行手段と、
を有することを特徴とする、請求項８に記載の情報処理システム。
【請求項１０】
前記供給装置は、所定のネットワークを介して他の装置と接続され、前記他の装置から前記新規データを受信する上位通信手段を有することを特徴とする、請求項８または９に記載の情報処理システム。
【請求項１１】
アドレス空間におけるＲＡＭに割り当てられたアドレスの範囲内を指定して通信先から受信された新規データを書き込むための通信プログラムとその通信プログラムを通信割込に応じて起動するために参照される通信割込ベクタとの少なくとも一方を含む通信コア情報を記憶する書換可能ＲＯＭに、前記通信プログラムを利用して、前記通信先から受信された新規データを書き込むことにより、前記書換可能ＲＯＭを書き換えるメモリ書換方法であって、
前記書換可能ＲＯＭの少なくとも前記通信コア情報を書き換えるための書換モードを設定する書換モード設定工程と、
前記書換可能ＲＯＭ内の前記通信コア情報の記憶エリアであるコア記憶エリアに対応するコピー記憶エリアを前記ＲＡＭ内に設定して、前記通信コア情報のコピーであるコピーコア情報を前記コピー記憶エリアに記憶させる通信コア情報コピー工程と、
前記アドレス空間における前記コア記憶エリアに対するメモリアクセスと前記コピー記憶エリアに対するメモリアクセスとを、前記書換モードの設定の有無に従って相互に切り換えるメモリアクセス切換工程と、
前記書換モードが設定されているときに、前記通信プログラムの指定アドレスとして、前記書換モードが設定されていないときの前記コピー記憶エリアのアドレスを指定する書換時エリア指定工程と、
を備えたことを特徴とするメモリ書換方法。
【請求項１２】
請求項１ないし７のいずれか１項に記載のメモリ書換装置の各手段の機能を実行可能なプログラムを記憶することを特徴とする記憶媒体。
【請求項１３】
請求項１１に記載のメモリ書換方法を実行可能なプログラムを記憶することを特徴とする記憶媒体。
【手続補正２】
【補正対象書類名】明細書
【補正対象項目名】０００６
【補正方法】変更
【補正の内容】
【０００６】
【課題を解決するための手段】
本発明のメモリ書換装置は、アドレス空間におけるＲＡＭに割り当てられたアドレスの範囲内を指定して通信先から受信された新規データを書き込むための通信プログラムとその通信プログラムを通信割込に応じて起動するために参照される通信割込ベクタとの少なくとも一方を含む通信コア情報を記憶する書換可能ＲＯＭと、前記書換可能ＲＯＭの少なくとも前記通信コア情報を書き換えるための書換モードを設定する書換モード設定手段と、前記書換可能ＲＯＭ内の前記通信コア情報の記憶エリアであるコア記憶エリアに対応するコピー記憶エリアを前記ＲＡＭ内に設定して、前記通信コア情報のコピーであるコピーコア情報を前記コピー記憶エリアに記憶させる通信コア情報コピー手段と、前記アドレス空間における前記コア記憶エリアに対するメモリアクセスと前記コピー記憶エリアに対するメモリアクセスとを、前記書換モードの設定の有無に従って相互に切り換えるメモリアクセス切換手段と、前記書換モードが設定されているときに、前記通信プログラムの指定アドレスとして、前記書換モードが設定されていないときの前記コピー記憶エリアのアドレスを指定する書換時エリア指定手段と、を備えたことを特徴とする。
【手続補正３】
【補正対象書類名】明細書
【補正対象項目名】０００７
【補正方法】変更
【補正の内容】
【０００７】
また、本発明のメモリ書換方法は、アドレス空間におけるＲＡＭに割り当てられたアドレスの範囲内を指定して通信先から受信された新規データを書き込むための通信プログラムとその通信プログラムを通信割込に応じて起動するために参照される通信割込ベクタとの少なくとも一方を含む通信コア情報を記憶する書換可能ＲＯＭに、前記通信プログラムを利用して、前記通信先から受信された新規データを書き込むことにより、前記書換可能ＲＯＭを書き換えるメモリ書換方法であって、前記書換可能ＲＯＭの少なくとも前記通信コア情報を書き換えるための書換モードを設定する書換モード設定工程と、前記書換可能ＲＯＭ内の前記通信コア情報の記憶エリアであるコア記憶エリアに対応するコピー記憶エリアを前記ＲＡＭ内に設定して、前記通信コア情報のコピーであるコピーコア情報を前記コピー記憶エリアに記憶させる通信コア情報コピー工程と、前記アドレス空間における前記コア記憶エリアに対するメモリアクセスと前記コピー記憶エリアに対するメモリアクセスとを、前記書換モードの設定の有無に従って相互に切り換えるメモリアクセス切換工程と、前記書換モードが設定されているときに、前記通信プログラムの指定アドレスとして、前記書換モードが設定されていないときの前記コピー記憶エリアのアドレスを指定する書換時エリア指定工程と、を備えたことを特徴とする。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
また、上述の各メモリ書換装置において、前記通信コア情報には、前記通信割込ベクタと前記通信プログラムとの双方が含まれ、前記通信割込ベクタは相対アドレスに基づいており、前記通信コア情報コピー手段は、前記通信割込ベクタと前記通信プログラムとの相対関係を保つように前記通信コア情報を前記ＲＡＭにコピーして、前記コピーコア情報として記憶させることが好ましい。
【手続補正７】
【補正対象書類名】明細書
【補正対象項目名】００１３
【補正方法】変更
【補正の内容】
【００１３】
また、上述の各メモリ書換装置において、前記ＲＡＭ内の先頭と前記コピー記憶エリアの相対関係が、前記書換可能ＲＯＭ内の先頭とコア記憶エリアとの相対関係に一致し、前記メモリアクセス切換手段は、前記書換可能ＲＯＭと前記ＲＡＭとのメモリ切換手段を有することが好ましい。
【手続補正８】
【補正対象書類名】明細書
【補正対象項目名】００１５
【補正方法】変更
【補正の内容】
【００１５】
また、上述のメモリ書換装置において、前記書換可能ＲＯＭと前記ＲＡＭは、それぞれ１チップで構成され、前記メモリ切換手段は、チップセレクトによって各チップを切り換える手段であることが好ましい。
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】変更
【補正の内容】
【００１９】
本発明の情報処理装置は、上記のいずれか１に記載のメモリ書換装置の各手段と、前記書換可能ＲＯＭに記憶されたプログラムに従って処理を行うプログラム処理手段と、を備えたことを特徴とする。
【手続補正１２】
【補正対象書類名】明細書
【補正対象項目名】００２１
【補正方法】変更
【補正の内容】
【００２１】
また、上述の情報処理装置において、所定の印刷対象物に印刷を行う印刷手段をさらに備え、前記複数の割込プログラムには、前記印刷手段に前記印刷を行わせるプログラムが含まれることが好ましい。
【手続補正１３】
【補正対象書類名】明細書
【補正対象項目名】００２３
【補正方法】変更
【補正の内容】
【００２３】
また、上述の情報処理装置において、前記印刷対象物は、テープであることが好ましい。
【手続補正１４】
【補正対象書類名】明細書
【補正対象項目名】００２５
【補正方法】変更
【補正の内容】
【００２５】
本発明の情報処理システムは、上記のいずれか１に記載の情報処理装置と、前記通信先として前記新規データを送信する供給装置と、を備えたことを特徴とする。
【手続補正１５】
【補正対象書類名】明細書
【補正対象項目名】００２６
【補正方法】変更
【補正の内容】
【００２６】
この情報処理システムでは、上記のいずれか１に記載の情報処理装置と、通信先として新規データを送信する供給装置と、を備えるので、供給装置側に格納する新規データを変更したり追加したりすることにより、情報処理装置側に送信する新規データを種々変更できる。
【手続補正１６】
【補正対象書類名】明細書
【補正対象項目名】００２７
【補正方法】変更
【補正の内容】
【００２７】
また、上述の情報処理システムにおいて、前記供給装置は、前記新規データおよびそれを送信するためのプログラムを記憶した記憶媒体を装着可能な装着手段と、装着された前記記憶媒体内に記憶された前記プログラムに従って前記新規データを送信するプログラム実行手段と、を有することが好ましい。
【手続補正１７】
【補正対象書類名】明細書
【補正対象項目名】００２９
【補正方法】変更
【補正の内容】
【００２９】
また、上述の情報処理システムにおいて、前記供給装置は、所定のネットワークを介して他の装置と接続され、前記他の装置から前記新規データを受信する上位通信手段を有することが好ましい。
【手続補正１８】
【補正対象書類名】明細書
【補正対象項目名】００３１
【補正方法】変更
【補正の内容】
【００３１】
本発明の記憶媒体は、上記のいずれか１に記載のメモリ書換装置の各手段の機能を実行可能なプログラムを記憶することを特徴とする。
【手続補正１９】
【補正対象書類名】明細書
【補正対象項目名】００３２
【補正方法】変更
【補正の内容】
【００３２】
また、本発明の他の記憶媒体は、上記に記載のメモリ書換方法を実行可能なプログラムを記憶することを特徴とする。